(57)【要約】【課題】ペットの安全性に優れ、かつ、ペット収納ボックスを専用固定ベルト等を使用することなく簡易に固定でき、専用固定ベルトなどの管理も必要がない収納ボックス固定構造等を提供する。【解決手段】ペットを収納したペット収納ボックス１０を車室内で車体１に固定するペット収納ボックス固定構造であって、ペット収納ボックス１０をシートクッション２ａ上に載置し、シートベルト装置のシートベルト３をペット収納ボックス１０の外周面側のベルト挿通孔１６に通すことによって直接連結し、この連結したシートベルト３をベルト装着状態とした。ペット収納ボックス１０は、収納ボックス本体１１と強度ベルト１２から構成し、強度ベルト１２の拘束ベルト部１２ａを利用してベルト挿通孔１６を形成すると共に、強度ベルト１２の安定ベルト部１２ｂ、１２ｃを前後のシート２、２’の支柱２ｃ、２ｃ’に掛け回した状態にした。【選択図】      図１
2004217173.tif 000002
【特許請求の範囲】
【請求項１】
ペットを収納したペット収納ボックスを車室内で車体に固定するペット収納ボックス固定構造であって、
前記ペット収納ボックスをシート上に載置し、シートベルト装置のシートベルトを前記ペット収納ボックスの外周面側に直接連結し、この連結した前記シートベルトをベルト装着状態としたことを特徴とするペット収納ボックス固定構造。
【請求項２】
請求項１記載のペット収納ボックス固定構造であって、
前記ペット収納ボックスは、収納ボックス本体の外周面を被うように取り付けられた強度ベルトを有し、この強度ベルトを利用したベルト挿通孔を設け、このベルト挿通孔に前記シートベルトを挿通することによって前記シートベルトを前記ペット収納ボックスに直接連結したことを特徴とするペット収納ボックス固定構造。
【請求項３】
請求項２記載のペット収納ボックス固定構造であって、
前記強度ベルトは、前記収納ボックス本体の外周面を被うように取り付けられた拘束ベルト部と、この拘束ベルト部に両端が支持されたループ状の安定ベルト部とを有し、この安定ベルト部をヘッドレストの支柱に巻き掛けたことを特徴とするペット収納ボックス固定構造。
【請求項４】
請求項３記載のペット収納ボックス固定構造であって、
前記安定ベルト部は２本であり、一方の安定ベルト部は、前記ペット収納ボックスが載置された前記シート側の支柱に巻き掛け、他方の安定ベルト部は、前記ペット収納ボックスが載置された前記シートの前方側の支柱に巻き掛けたことを特徴とするペット収納ボックス固定構造。
【請求項５】
請求項１乃至請求項４請のいずれか一項に記載のペット収納ボックス固定構造であって、
前記シートベルト装置の前記シートベルトは、前記車体側に一端側が支持され、自由端側にタング部材が固定されたショルダーベルト部と、前記車体側に一端側が支持され、他端側が前記ショルダーベルト部に連結されたラップベルト部と、前記車体側に一端が支持され、自由端側にバックルが固定されたアンカー用ベルト部とを有し、前記ショルダーベルト部及び前記ラップベルト部を共に前記ベルト挿通孔に通した状態で前記タング部材を前記バックルに装着したことを特徴とするペット収納ボックス固定構造。
【請求項６】
通気性を有する材質で形成された袋体と、この袋体に装着されて前記袋体をボックス状の形態に保持するフレームと、前記袋体に取り付けられてシートベルト装置のシートベルトと連結する強度ベルトとを備えたことを特徴とするペット収納ボックス。
【請求項７】
請求項６記載のペット収納ボックスであって、
前記袋体が網状布地から形成されたことを特徴とするペット収納ボックス。
【請求項８】
請求項６又は請求項７記載のペット収納ボックスであって、
前記袋体の内側が非突起構造であることを特徴とするペット収納ボックス。
【請求項９】
請求項６乃至請求項８のいずれか一項に記載のペット収納ボックスであって、
前記強度ベルトを利用したベルト挿通孔を設けたことを特徴とするペット収納ボックス。
【請求項１０】
請求項６乃至請求項９のいずれか一項に記載のペット収納ボックスであって、
前記強度ベルトは、前記ペット収納ボックスの外周面を被うように取り付けられた拘束ベルト部と、この拘束ベルト部に両端が支持されたループ状の安定ベルト部とを有することを特徴とするペット収納ボックス。
【請求項１１】
請求項１０記載のペット収納ボックスであって、
前記安定ベルト部は２本であることを特徴とするペット収納ボックス。
【請求項１２】
ペット収容用のペット収納ボックスの外周に巻き付けられる一対の拘束ベルト部と、これらの拘束ベルト部に自由端が連結固定され、中間部が車体のシートに設けられたヘッドレストの支柱に巻き掛けられる一対の安定ベルト部とを備えたことを特徴とする連結具。
【発明の詳細な説明】
【０００１】
【発明の属する技術分野】
本発明は、ペットを収納したペット収納ボックスを車室内で車体に固定するペット収納ボックス固定構造、これに用いるペット収納ボックス及びこれに用いる連結具に関する。
【０００２】
【従来の技術】
近年、ペットを車両に乗せる際に、人間と同様に車両緊急時（例えば衝突時）にペットを保護することが要望されている。
【０００３】
このような要望の下に、車載時のペットの安全性を確保するものとして、図３や図４に示す特開平８−２０３０７号公報（特許文献１）に開示されたものがある。
【０００４】
図３に示すペット固定構造は、シートクッション１００上に載置されたペットＰの体を直接拘束する拘束バンド１０１と、この拘束バンド１０１とシートベルト装置のバックル１０２との間を連結する連結ロープ１０３とを有する。連結ロープ１０３には、一端側にカナビラ１０４が、他端側にはタング部材１０５がそれぞれ着脱自在に設けられている。この固定構造では、ペットＰがシートクッション１００上を連結ロープ１０３の規制範囲内で自由に移動することができる。
【０００５】
また、図４に示すペット固定構造は、ペットＰを収納するペット収納ボックス１１０と、このペット収納ボックス１１０に一端が固定され、他端にタング部材１１１が固定された連結ベルト１１２とを有し、連結ベルト１１２のタング部材１１１をシートベルト装置のバックル１１３に装着するものである。この固定構造では、ペットＰがペット収納ボックス１１０内を自由に移動できる。
【０００６】
更に、他の従来例として図５及び図６に示す特開２００２−１５９２３８号公報（特許文献２）に開示されたものがある。
【０００７】
図５及び図６に示すペット固定構造は、シート１２０のシートクッション１２０ａ上に載置され、上面が開口されたペット収納ボックス１２１と、このペット収納ボックス１２１内に収納したペットＰをペット収納ボックス１２１内に繋ぎ止めるペット連結ベルト１２２と、ペット収納ボックス１２１をシートクッション１２０ａ上に固定する２本の専用固定ベルト１２３、１２４とを有している。２本の専用固定ベルト１２３、１２４は、シートバック１２０ｂに掛け回した両端をペット収納ボックス１２１の下部にそれぞれ連結したものと、ヘッドレスト１２０ｃの支柱１２０ｄに掛け回した両端をペット収納ボックス１２１の上端にそれぞれ連結したものから構成されている。この固定構造では、ペットＰがペット収納ボックス１２１内で、かつ、ペット連結ベルト１２２の規制範囲内で自由に移動できる。
【０００８】
【特許文献１】
特開平８−２０３０７号公報
【０００９】
【特許文献２】
特開２００２−１５９２３８号公報
【００１０】
【発明が解決しようとする課題】
しかしながら、図３に示すペット固定構造は、車両緊急時には連結ロープ１０３の長さ分だけペットＰ自体が移動し、連結ロープ１０３が伸びきったときに初めてペットＰの移動が阻止されて、ペットＰに大きな衝撃が加わる。また、ペットＰが連結ロープ１０３の規制範囲内で移動することができるため、ペットＰが他部材に衝突し、衝突姿勢や衝突箇所が悪かった場合には大きな怪我につながる可能性があり、ペットの安全性に欠ける。更に、ペットＰが移動したり、衝撃を受けて騒ぐことによって運転手の注意が散漫になり、運転手にとっても危険である。
【００１１】
また、図４に示すペット固定構造でも同様に、車両緊急時には連結ベルト１１２の長さ分だけペット収納ボックス１１０が移動し、連結ベルト１１２が伸びきったときに初めてペット収納ボックス１１０の移動が阻止されて、ペット収納ボックス１１０に大きな衝撃が加わる。このとき、ペット収納ボックス１１０内部のペットＰにも、大きな衝撃が加わるため、ペットＰが怪我をする可能性がある。また、ペット収納ボックス１１０が他部材に衝突し、その際にペット収納ボックス１１０内部のペットＰも大きなダメージを受ける恐れがあり、安全性に欠けるという問題がある。
【００１２】
更に、図５及び図６に示すペット固定構造では、ペット収納ボックス１２１を車両のシート１２０条上に固定するため、車両緊急時の衝撃力はシート１２０に加わる。このため、シート１２０の強度が衝撃力に充分対向できない場合は、シート１２０が破壊し、ペット収納ボックス１２１が前方に投げ出される恐れがある。また、ペットＰがペット連結ベルト１２２によって固定されているため、ペットＰに直接衝撃が加わる可能性がある。更に、ペット収納ボックス１２１を固定するためには専用の固定ベルト１２３、１２４を使用した固定作業が必要であり、汎用性に欠けるうえに、固定作業が面倒である。また、ペット収納ボックス１２１を車両より取り外した場合には、専用固定ベルト１２３、１２４を無くさないように保管する必要があり、管理の上でも問題がある。
【００１３】
そこで、本発明は、上記した課題を解決すべくなされたものであり、ペットの安全性に優れ、かつ、ペット収納ボックスを専用固定ベルト等を使用することなく簡易に固定でき、専用固定ベルトなどの管理の必要がないペット収納ボックス固定構造、ペット収納ボックス及び連結具を提供することを目的とする。
【００１４】
【課題を解決するための手段】
請求項１の発明は、ペットを収納したペット収納ボックスを車室内で車体に固定するペット収納ボックス固定構造であって、前記ペット収納ボックスをシート上に載置し、シートベルト装置のシートベルトを前記ペット収納ボックスの外周面側に直接連結し、この連結した前記シートベルトをベルト装着状態としたことを特徴とする。
【００１５】
この収納ボックス固定構造では、車両緊急時（例えば衝突時）にはペット収納ボックスが瞬間的に移動するが、直ちにシートベルト装置が作動してシートベルトがロック状態となってペット収納ボックスの移動が阻止され、ペット収納ボックスがほとんど移動することがない。そして、このほとんど移動しないペット収納ボックスの内壁にペットが衝突することになるため、ペットには比較的弱い衝撃が加わるに過ぎない。また、ペットが閉空間であるペット収納ボックスに収納されているため、ペットはペット収納ボックス内をある程度自由に動くことが可能であると共に、車両緊急時に前方に投げ出されることがない。そして、ペットがシートから移動したり、衝撃を受けて騒ぐことが防止されるため、運転中にペットに邪魔されない。更に、シートベルト装置のシートベルトを使用してペット収納ボックスを固定するため、従来例のような専用固定ベルト等を使用する必要がない。
【００１６】
請求項２の発明は、請求項１記載のペット収納ボックス固定構造であって、前記ペット収納ボックスは、収納ボックス本体の外周面を被うように取り付けられた強度ベルトを有し、この強度ベルトを利用したベルト挿通孔を設け、このベルト挿通孔に前記シートベルトを挿通することによって前記シートベルトを前記ペット収納ボックスに直接連結したことを特徴とする。
【００１７】
この収納ボックス固定構造では、請求項１の発明の作用に加え、シートベルトをベルト挿通孔に通すため、シートベルトとペット収納ボックスとが強固に連結される。また、シートベルトのロック力を強度ベルトによって受けるため、ペット収納ボックスを確実に位置保持できると共に、シートベルトのロック力によって収納ボックス本体が破損等することがない。
【００１８】
請求項３の発明は、請求項２記載のペット収納ボックス固定構造であって、前記強度ベルトは、前記収納ボックス本体の外周面を被うように取り付けられた拘束ベルト部と、この拘束ベルト部に両端が支持されたループ状の安定ベルト部とを有し、この安定ベルト部をヘッドレストの支柱に巻き掛けたことを特徴とする。
【００１９】
この収納ボックス固定構造では、請求項２の発明の作用に加え、ペット収納ボックスと支柱との間が安定ベルト部によっても固定される。
【００２０】
請求項４の発明は、請求項３記載のペット収納ボックス固定構造であって、前記安定ベルト部は２本であり、一方の安定ベルト部は、前記ペット収納ボックスが載置された前記シート側の支柱に巻き掛け、他方の安定ベルト部は、前記ペット収納ボックスが載置された前記シートの前方側の支柱に巻き掛けたことを特徴とする。
【００２１】
この収納ボックス固定構造では、請求項３の発明の作用に加え、ペット収納ボックスと前後に配置される２本の支柱との間が２本の安定ベルト部によってそれぞれ固定される。
【００２２】
請求項５の発明は、請求項１乃至請求項４記載のいずれか一項に記載のペット収納ボックス固定構造であって、前記シートベルト装置の前記シートベルトは、前記車体側に一端側が支持され、自由端側にタング部材が固定されたショルダーベルト部と、前記車体側に一端側が支持され、他端側が前記ショルダーベルト部に連結されたラップベルト部と、前記車体側に一端が支持され、自由端側にバックルが固定されたアンカー用ベルト部とを有し、前記ショルダーベルト部及び前記ラップベルト部を共に前記ベルト挿通孔に通した状態で前記タング部材を前記バックルに装着したことを特徴とする。
【００２３】
この収納ボックス固定構造では、ペット収納ボックスがいわゆる３点式のシートベルト装置によって車体側に固定される。
【００２４】
請求項６の発明は、通気性を有する材質で形成された袋体と、この袋体に装着されて前記袋体をボックス状の形態に保持するフレームと、前記袋体に取り付けられてシートベルト装置のシートベルトと連結する強度ベルトとを備えたことを特徴とする。
【００２５】
このペット収納ボックスでは、フレームによって袋体が閉空間であるボックス状の形態に保持される。また、衝突の際にペットはペット収納ボックス内側の面への衝突となるため、ペット収納ボックスに収納されたペットの衝突時の衝撃が緩和される。更に、袋体が通気性を有する材質で形成されているため、内部に収納されたペットが圧迫感を感じることがない。加えて、強度ベルトをシートベルト装置のシートベルトに連結するだけで、請求項１又は２の発明と同様の作用が得られる。
【００２６】
請求項７の発明は、請求項６記載のペット収納ボックスであって、前記袋体が網状布地から形成されたことを特徴とする。
【００２７】
このペット収納ボックスでは、袋体が網状布地から形成されているため、より衝撃が吸収される。
【００２８】
請求項８の発明は、請求項６又は請求項７記載のペット収納ボックスであって、前記袋体の内側が非突起構造であることを特徴とする。
【００２９】
このペット収納ボックスでは、内側に突起構造を持たないため、ペットにとってより安全である。
【００３０】
請求項９の発明は、請求項６乃至請求項８のいずれか一項に記載のペット収納ボックスであって、前記強度ベルトを利用したベルト挿通孔を設けたことを特徴とする。
【００３１】
このペット収納ボックスでは、請求項６乃至請求項８の発明の作用に加え、シートベルトをベルト挿通孔に通すため、シートベルトとペット収納ボックスとを強固に連結できる。
【００３２】
請求項１０の発明は、請求項６乃至請求項９のいずれか一項に記載のペット収納ボックスであって、前記強度ベルトは、前記収納ボックスの外周面を被うように取り付けられた拘束ベルト部と、この拘束ベルト部に両端が支持されたループ状の安定ベルト部とを有することを特徴とする。
【００３３】
このペット収納ボックスでは、請求項６乃至請求項９の発明の作用に加え、ペット収納ボックスを車体内に固定する場合には安定ベルト部を固定補助に利用できる。また、ペット収納ボックスを車体から取り外した場合には安定ベルトを手提げ用ベルトに利用できる。
【００３４】
請求項１１の発明は、請求項１０記載のペット収納ボックスであって、前記安定ベルト部は、２本であることを特徴とする。
【００３５】
このペット収納ボックスでは、請求項９の発明の作用に加え、２本の安定ベルト部を共に車体への固定補助に利用すれば、安全性を向上させることができる。また、２本の安定ベルト部を共に手提げ用ベルトに利用すれば、持ち運び性を向上させることができる。
【００３６】
請求項１２の発明は、ペット収容用のペット収納ボックスの外周に巻き付けられる一対の拘束ベルト部と、これらの拘束ベルト部に自由端が連結固定され、中間部が車体のシートに設けられたヘッドレストの支柱に巻き掛けられる一対の安定ベルト部とを備えたことを特徴とする。
【００３７】
この連結具では、市販のペット収納ボックスに拘束ベルト部と安定ベルト部からなる連結具を取り付けることにより、請求項１又は２の発明と同様の作用が得られる。
【００３８】
【発明の実施の形態】
以下、本発明の一実施形態を図面に基づいて説明する。
【００３９】
図１及び図２は本発明のペット収納ボックス固定構造を適用した一実施形態を示し、図１はペット収納ボックス１０をシート２上に固定した状態を示す斜視図、図２はペット収納ボックス１０をシート２上に固定した状態を示す側面図である。
【００４０】
図１及び図２に示すように、車体１の車室内には前後２列にシート２、２’が配置されている。この各シート２、２’は、車室の底面側に固定されたシートクッション２ａ、２ａ’と、このシートクッション２ａ、２ａ’の後端側より立設されたシートバック２ｂ、２ｂ’と、このシートバック２ｂ、２ｂ’の上端に支柱２ｃ、２ｃ’を介して支持されたヘッドレスト２ｄ、２ｄ’とを備えている。そして、後方のシート２上に下記するペット収納ボックス１０が載置されている。
【００４１】
また、車体１の車室内には、前後のシート２、２’に対してシートベルト装置がそれぞれ備えられている。このシートベルト装置のシートベルト３は、車体１側に一端側が支持され、自由端側にタング部材４ａが固定されたショルダーベルト部４と、車体１側に一端側が支持され、他端側がショルダーベルト部４に連結されたラップベルト部５と、車体１側に一端が支持され、自由端側にバックル６ａが固定されたアンカー用ベルト部６とを有している。ショルダーベルト部４とラップベルト部５は、通常は車体１側の巻取装置（図示せず）による巻取力に抗して車室内に引き出し自在であるが、車両緊急時には、巻取装置が衝撃を感知し、ショルダーベルト部４及びラップベルト部５の引き出しが自動的にロックされるようになっている。
【００４２】
ペット収納ボックス１０は、収納ボックス本体１１とこの収納ボックス本体１１の外周面を被うように取り付けられた強度ベルト１２とから構成されており、後方のシート２のシートバック２ｂにほぼ密着された状態で、後方のシートクッション２ａ上に載置されている。
【００４３】
収納ボックス本体１１は、展開形状がほぼ直方体状の通気性を有する材質、例えば非常に細かい網目のポリエステルメッシュで形成された袋体１１ａと、この袋体１１ａに装着されて袋体１１ａを閉空間であるボックス状の形態に保持するワイヤーフレーム（フレーム）１１ｂとを有する。袋体１１ａの一方の側面には開口部１３が形成され、この開口部１３が蓋体１４によってファスナー開閉できるようになっている。この開口部１３よりペット（図示せず）を収納したり、取り出したりする。袋体１１ａの底面には防水布地１５が敷かれている。ワイヤーフレーム１１ｂは、所定方向の外力を作用することによって折り畳み位置に変移可能に構成され、収納ボックス本体１１を折り畳み形状とすることができる。なお、収納ボックス本体１１の内側は突起構造を持たない非突起構造となっている。
【００４４】
強度ベルト１２は、収納ボックス本体１１の外周面を被うように取り付けられた左右一対の拘束ベルト部１２ａと、この一対の拘束ベルト１２ａの各上端位置で両端が固定された２本のループ状の安定ベルト部１２ｂ、１２ｃとを備えている。
【００４５】
拘束ベルト部１２ａは、袋体１１ａに例えば糸や接着剤によって強固に固定されている。拘束ベルト部１２ａと袋体１１ａの外周面との間の隙間によってベルト挿通孔１６が形成されている。このベルト挿通孔１６には、ショルダーベルト部４及びラップベルト部５が挿通されている。
【００４６】
２本の安定ベルト部１２ｂ、１２ｃには調整クリップ１７がそれぞれ設けられており、この調整クリップ１７によって安定ベルト部１２ｂ、１２ｃのループ形状を解いたりループ形状に戻したりできると共に、長さ調整ができるようになっている。そして、車室前方側に配置された安定ベルト部１２ｂは、前方側のシート２’の支柱２ｃ’に掛け回されており、車室後方側に配置された安定ベルト部１２ｃは、後方側のシート２の支柱２ｃに掛け回されている。
【００４７】
次に、ペット収納ボックス１０を、車室内で車体１に固定する固定作業を説明する。最初に、ペット収納ボックス１０を、車体１の後方のシートバック２ｂにほぼ密着された状態でシートクッション２ａ上に載置する。次に、シートベルト装置のショルダーベルト部４及びラップベルト部５を待機位置より引き出し、引き出した先端側をベルト挿通孔１６に通す。ベルト挿通孔１６に通したショルダーベルト部４及びラップベルト部５のタング部材４ａをバックル６ａに装着する。ショルダーベルト部４及びラップベルト部５は、シートベルト装置の巻取力によって、所定のテンションに張られたベルト装着状態となる。
【００４８】
そして、２本の安定ベルト１２ｂ、１２ｃの各調整クリップ１７を一旦解除し、一方の安定ベルト１２ｂを前方のシート２’の支柱２ｃ’に掛け回した状態として調整クリップ１７を再度装着する。他方の安定ベルト１２ｃを後方のシート２の支柱２ｃに掛け回した状態として調整クリップ１７を再度装着し、固定作業が完了する。この際に、各安定ベルト部１２ｂ、１２ｃを所定のテンションに張られた状態で装着することが望ましい。
【００４９】
なお、２本の安定ベルト１２ｂ、１２ｃはペット収納ボックス１０を後方のシートクッション２ａ上に載置する前の段階で各支柱２ｃ、２ｃ’に掛け回し、その後に後方のシートクッション２ａ上に載置しても良い。また、ペット収納ボックス１０は、最終的に、後方のシートバック２ｂにほぼ密着された状態で、後方のシートクッション２ａ上に載置する状態とすれば良い。
【００５０】
次に、ペット収納ボックス１０を固定した固定構造の作用を説明する。車両緊急時（例えば衝突時）には、ペット収納ボックス１０が瞬間的に前方に移動するが、直ちにシートベルト装置が作動してシートベルト３がロックされるため、ペット収納ボックス１０の移動が阻止される。そして、このほとんど移動しないペット収納ボックス１０の内側の面にペット（図示せず）が衝突することになる。このため、ペットには比較的弱い衝撃が加わるに過ぎず、また、収納ボックス本体１１の内側は突起構造を持たない非突起構造となっているため、安全性に優れている。また、ペットが閉空間であるペット収納ボックス１０に収納されているため、車両緊急時に、ペットが前方に投げ出されることがない。そして、ペットがシート２から移動したり、衝撃を受けて騒ぐことが防止されるため、運転中にペットに邪魔されることがなく安全である。また、シートベルト装置のシートベルト３を使用してペット収納ボックス１０を固定するため、従来例のように専用固定ベルト等を使用することなく簡易に固定できる。更に、シートベルト３を使用して固定するため、ペット収納ボックス１０を車体１から取り外した場合に専用固定ベルトなどを管理する必要がない。
【００５１】
また、上記実施形態では、ペット収納ボックス１０は、収納ボックス本体１１の外周面を被うように取り付けられた強度ベルト１２を有し、この強度ベルト１２を利用してベルト挿通孔１６を設け、このベルト挿通孔１６にシートベルト３を挿通してシートベルト３をペット収納ボックス１０に連結したことにより、どのような外力が作用してもシートベルト３がペット収納ボックス１０より外れることがない。このため、ペットへの安全性が向上する。また、シートベルト３のロック力を強度ベルト１２によって受けるため、ペット収納ボックス１０を確実に位置保持できると共に、シートベルト３のロック力によって収納ボックス本体１１が破損等することがない。
【００５２】
なお、上記実施形態では、ベルト挿通孔１６は、拘束ベルト部１２ａと収納ボックス本体１１の外周面とによってできる隙間によって形成したが、拘束ベルト部１２ａを一部範囲で２重に形成してベルト挿通孔を形成しても良い。
【００５３】
また、上記実施形態では、強度ベルト１２は、収納ボックス本体１１の外周面を被うように取り付けられた拘束ベルト部１２ａと、この拘束ベルト部１２ａに両端が支持されたループ状の安定ベルト部１２ｂ、１２ｃとを有し、この安定ベルト部１２ｂ、１２ｃをヘッドレスト２ｄ、２ｄ’の支柱２ｃ、２ｃ’に巻き掛けたため、ペット収納ボックス１０と支柱２ｃ、２ｃ’との間が安定ベルト部１２ｂ、１２ｃによっても固定される。したがって、ペット収納ボックス１０がより強固に車体１に固定され、安全性の向上になる。また、ペット収納ボックス１０を車体１から取り外した場合には安定ベルト部１２ｂ、１２ｃを手提げ用ベルトとして利用できるため、持ち運びの際に便利である。
【００５４】
更に、上記実施形態では、安定ベルト部１２ｂ、１２ｃは２本であり、一方の安定ベルト部１２ｃは、ペット収納ボックス１０が載置されたシート２側の支柱２ｃに巻き掛け、他方の安定ベルト１２ｂは、ペット収納ボックス１０が載置されたシート２の前方側の支柱２ｃ’に巻き掛けたので、車体１への固定がより強固になり安定性が更に向上すると共に、持ち運び性も向上する。なお、上記実施形態では、２本の安定ベルト部１２ｂ、１２ｃをそれぞれ支柱２ｃ、２ｃ’に掛け回したが、いずれか一方のみを掛け回した状態としても良い。また、ペット収納ボックス１０を車室１の前方のシート２’上に載置する場合には、当該シート２’の支柱２ｃ’にのみ安定ベルト部１２ｂ、１２ｃを掛け回した状態で固定する。
【００５５】
また、上記実施形態では、シートベルト装置のシートベルト３は、車体１側に一端側が支持され、自由端側にタング部材４ａが固定されたショルダーベルト部４と、車体１側に一端側が支持され、他端側がショルダーベルト部４に連結されたラップベルト部５と、車体１側に一端が支持され、自由端側にバックル６ａが固定されたアンカー用ベルト部６とを有し、ショルダーベルト部４及びラップベルト部５を共にベルト挿通孔１６に通した状態でタング部材４ａをバックル６ａに装着した。つまり、いわゆる３点式のシートベルト装置を用いてペット収納ボックス１０を車体１側に固定したが、いわるゆ２点式のシートベルト装置によっても略同様にペット収納ボックス１０を車体１側に固定できる。
【００５６】
更に、上記実施形態では、ペット収納ボックス１０は、袋体１１ａを通気性を有する非常に細かい網目のポリエステルメッシュ材質で形成しているが、ペットを柔らかく包み込むような材質で、緩衝材の働きをし、衝撃を吸収するものであればその他の材質でも良い。
【００５７】
【発明の効果】
以上説明したように、請求項１の発明によれば、ペット収納ボックスがほとんど移動することがなく、この移動しないペット収納ボックスの内壁にペットが衝突するため、ペットには比較的弱い衝撃が加わるに過ぎず、安全性に優れている。また、ペットが閉空間であるペット収納ボックスに収納されているため、ペットはペット収納ボックス内をある程度自由に動くことが可能であると共に、車両緊急時に前方に投げ出されることがない。そして、ペットがシートから移動したり、衝撃を受けて騒ぐことが防止することができるため、運転中にペットに邪魔されることがない。また、シートベルト装置のシートベルトを使用してペット収納ボックスを固定することができるため、専用固定ベルト等を使用することなく簡易に固定することができ、ペット収納ボックスを車体から取り外した場合には専用固定ベルトなどを管理する必要がない。
【００５８】
請求項２の発明によれば、請求項１の発明の効果に加え、シートベルトをベルト挿通孔に通すため、シートベルトとペット収納ボックスとを強固に連結することができるため、安全性が向上する。また、シートベルトのロック力を強度ベルトによって受けるため、ペット収納ボックスを確実に位置保持できると共に、シートベルトのロック力によって収納ボックス本体が破損等することがない。
【００５９】
請求項３の発明によれば、請求項２の発明の効果に加え、ペット収納ボックスと支柱との間が安定ベルト部によっても固定されるため、ペット収納ボックスがより強固に車体に固定され、安全性が向上する。
【００６０】
請求項４の発明によれば、請求項３の発明の効果に加え、ペット収納ボックスと前後に配置される２本の支柱との間が２本の安定ベルトによってそれぞれ固定されるため、ペット収納ボックスがより強固に車体に固定され、安全性が更に向上する。
【００６１】
請求項５の発明によれば、いわゆる３点式のシートベルト装置を用いてペット収納ボックスを車体側に固定することができる。
【００６２】
請求項６の発明によれば、フレームによって袋体を閉空間であるボックス状の形態に保持することができる。また、衝突の際にペットはペット収納ボックス内側の面への衝突となるため、ペット収納ボックスに収納されたペットの衝撃を緩和することができる。更に、袋体が通気性を有する材質で形成されているため、ペットが圧迫感を感じることがない。加えて、強度ベルトをシートベルト装置のシートベルトに連結するだけで、請求項１又は請求項２の発明と同様の効果を得ることができる。
【００６３】
請求項７の発明によれば、袋体を網状布地で形成することによって、より衝撃が吸収されて、安全である。
【００６４】
請求項８の発明は、請求項６又は請求項７の発明の効果に加え、内側に突起構造を持たないため、衝突の際にペットが怪我をすることを防ぐことができ、より安全である。
【００６５】
請求項９の発明によれば、シートベルトをベルト挿通孔に通すため、シートベルトとペット収納ボックスとを強固に連結でき、安全性が向上する。
【００６６】
請求項１０の発明によれば、ペット収納ボックスを車体内に固定する場合には安定ベルトを固定補助に利用できる。また、ペット収納ボックスを車体から取り外した場合には安定ベルトを手提げ用ベルトに利用することができる。
【００６７】
請求項１１の発明によれば、２本の安定ベルト部を共に車体への固定補助に利用すれば、安全性を向上させることができる。また、２本の安定ベルト部を共に手提げ用ベルトに利用すれば、持ち運び性を向上させることができる。
【００６８】
請求項１２の発明によれば、市販のペット収納ボックスに拘束ベルト部と安定ベルト部からなる連結具を取り付けることによって、請求項１又は請求項２の発明と同様の効果を得ることできる。
【図面の簡単な説明】
【図１】本発明の一実施形態を示し、ペット収納ボックスをシート上に固定した状態を示す斜視図である。
【図２】本発明の一実施形態を示し、ペット収納ボックスをシート上に固定した状態を示す側面図である。
【図３】従来例を示し、ペットをシートクッション上に固定した状態を示す斜視図である。
【図４】他の従来例を示し、ペット収納ボックスの固定状態を説明する斜視図である。
【図５】他の従来例を示し、ペット収納ボックスをシートクッション上に固定した状態を示す斜視図である。
【図６】図５に示す従来例の側面図である。
【符号の説明】
１  車体
２、２’  シート
２ａ、２ａ’  シートクッション
２ｂ、２ｂ’  シートバック
２ｃ、２ｃ’  支柱
２ｄ、２ｄ’  ヘッドレスト
３  シートベルト
４  ショルダーベルト部
４ａ  タング部材
５  ラップベルト部
６  アンカーベルト部
６ａ  バックル
１０  ペット収納ボックス
１１  収納ボックス本体
１１ａ  袋体
１１ｂ  ワイヤーフレーム（フレーム）
１２  強度ベルト
１２ａ  拘束ベルト部
１２ｂ、１２ｃ  安定ベルト部
１３  開口部
１４  蓋体
１５  防水布地
１６  ベルト挿通孔
１７  調整クリップ
【図１】
2004217173.tif 000003
【図２】
2004217173.tif 000004
【図３】
2004217173.tif 000005
【図４】
2004217173.tif 000006
【図５】
2004217173.tif 000007
【図６】
2004217173.tif 000008